【事件の表示】
　特願２０１５−１３１６１９「コミュニケーション装置、コミュニケーションシステムおよびコミュニケーションプログラム」拒絶査定不服審判事件〔平成２９年　１月１９日出願公開、特開２０１７−　１６３４２、請求項の数（１１）〕について、次のとおり審決する。
【結　論】
　原査定を取り消す。
　本願の発明は、特許すべきものとする。
【理　由】
第１　手続の経緯
　本願は、平成２７年６月３０日の出願であって、その手続の経緯は以下のとおりである。
　平成３１年　３月１２日付け：拒絶理由通知
　平成３１年　４月２９日　　：意見書、手続補正書の提出
　令和　元年　５月２９日付け：拒絶理由通知（最後）
　令和　元年　６月２５日　　：意見書、手続補正書の提出
　令和　元年１１月　１日付け：令和元年６月２５日の手続補正についての
　　　　　　　　　　　　　　　補正の却下の決定、拒絶査定（原査定）
　令和　２年　１月２８日　　：審判請求書、手続補正書の提出
　令和　３年　３月　９日付け：拒絶理由通知（当審拒絶理由通知）
　令和　３年　４月２０日　　：意見書、手続補正書の提出
第２　原査定の概要
　原査定（令和元年１１月１日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
・請求項１、２、４、１０−１２
・引用文献等　Ａ、Ｂ
・請求項３
・引用文献等　Ａ−Ｃ
・請求項５
・引用文献等　Ａ−Ｄ
・請求項６、７
・引用文献等　Ａ−Ｅ
・請求項８
・引用文献等　Ａ−Ｆ
・請求項９
・引用文献等　Ａ−Ｇ
引用文献等一覧
Ａ.特開２００１−３２５２０１号公報
Ｂ.特開２００５−９２８９７号公報
Ｃ.特開２０１３−３９８８号公報
Ｄ.特開２０１４−２３２４０６号公報
Ｅ.特開２０１３−１４９２６２号公報
Ｆ.特開２０１２−２０８７７９号公報
Ｇ.特開２０１２−１６８８１２号公報
第３　当審拒絶理由の概要
　当審拒絶理由（令和３年３月９日付け拒絶理由通知）の概要は次のとおりである。
　本願請求項１−１１に係る発明は、以下の引用文献１−９に基づいて、当業者が容易に発明できたものであるから、特許法第２９条第２項の規定により特許を受けることができない。
引用文献等一覧
１.特開２００１−３２５２０１号公報（拒絶査定時の引用文献Ａ）
２.特開２００５−９２８９７号公報（拒絶査定時の引用文献Ｂ）
３.特開２０１３−３９８８号公報（拒絶査定時の引用文献Ｃ）
４.特開２０１４−２３２４０６号公報（拒絶査定時の引用文献Ｄ）
５.特開２０１３−１４９２６２号公報（拒絶査定時の引用文献Ｅ）
６.特開２０１２−２０８７７９号公報（拒絶査定時の引用文献Ｆ）
７.特開２０１２−１６８８１２号公報（拒絶査定時の引用文献Ｇ）
８.特表平４−５０７１５８号公報（当審で新たに引用した文献） 
９.特開２００２−２２２２０４号公報（当審で新たに追加した文献）
第４　本願発明
　本願請求項１−１１に係る発明（以下、それぞれ「本願発明１」−「本願発明１１」という。）は、令和３年４月２０日提出の手続補正で補正された特許請求の範囲の請求項１−１１に記載された事項により特定される発明であり、本願発明１−１１は以下のとおりの発明である。
「　【請求項１】
　複数のユーザーのうちユーザーと他のユーザーとの間でコミュニケーションをするためのコミュニケーション装置であって、
　前記複数のユーザーの性格を診断し、前記複数のユーザーの性格タイプを決定する性格診断部と、
　前記複数のユーザーの前記性格タイプを含む複数のデータを記憶する記憶部と、
　前記ユーザーの第１のデータを取得するデータ取得部と、
　前記複数のデータの中から、前記第１のデータと所定の関係を有する第２のデータを抽出し、前記ユーザーと、前記第２のデータを有する前記他のユーザーとをマッチングするマッチング部と、
　前記ユーザーと、前記他のユーザーとの間で前記コミュニケーションを提供するコミュニケーション部と、
　を有し、
　前記マッチング部は、前記ユーザーと前記他のユーザーとのマッチング履歴情報を前記ユーザーの前記第１のデータと前記他のユーザーの前記第２のデータに付与し、
　前記マッチング部は、前記マッチング履歴情報に基づいて、前記ユーザーと前記他のユーザーとの再度のマッチング確率を下げ
、
　
前記コミュニケーション部は、前記コミュニケ−ションの文字情報と、画像情報と、音声情報と、動画情報のうちのいずれかを含むメッセージ情報の情報量が所定容量を超えたとき、前記コミュニケーションを終了させるよう、前記メッセージ情報を管理するとともに、前記文字情報、前記画像情報、前記音声情報および前記動画情報のうちのいずれかの前記所定容量までの残りのメッセージ情報量を情報端末に提供し、
　
前記メッセージ情報の前記情報量は、前記コミュニケーション中に前記ユーザーによって１回毎に発信された前記メッセージ情報の総量であ
　　【請求項２】
　前記第１のデータは、前記他のユーザーを絞り込むための絞り込み用データであり、
　前記第２のデータは、前記絞り込み用データを含む請求項１に記載のコミュニケーション装置。
　　【請求項３】
　前記マッチング部は、ランダムに前記ユーザーと前記他のユーザーとをマッチングする請求項１または２に記載のコミュニケーション装置。
　　【請求項４】
　前記マッチング部は、前記第２のデータを有する前記他のユーザーの複数の候補を提供する請求項１ないし３のいずれかに記載のコミュニケーション装置。
　　【請求項５】
　前記コミュニケーション部は、前記コミュニケ−ションの時間に基づいて、前記コミュニケーションを終了させる請求項１ないし４のいずれかに記載のコミュニケーション装置。
　　【請求項６】
　前記コミュニケーション部は、前記ユーザーまたは前記他のユーザーの要請に基づいて、前記コミュニケ−ションの前記時間の延長および
前記所定容量
　　【請求項７】
　前記ユーザーと、前記他のユーザーとの前記コミュニケーションのヒントを与えるコミュニケーション情報を提供する第１の情報提供部をさらに含む請求項１ないし６のいずれかに記載のコミュニケーション装置。
　　【請求項８】
　前記コミュニケーションを通して受けた前記ユーザーおよび前記他のユーザーの評価を提供する評価部をさらに含む請求項１ないし７のいずれかに記載のコミュニケーション装置。
　　【請求項９】
　前記複数のデータは、前記複数のユーザーからの入力によるデータと、ネットワークを介して取得されるデータとを含む請求項１ないし８のいずれかに記載のコミュニケーション装置。
　　【請求項１０】
　ユーザーと他のユーザーとを含む複数のユーザーの間でコミュニケーションをするための情報処理装置と、サーバー装置とがネットワークを介して通信可能に接続されたコミュニケーションシステムであって、
　前記サーバー装置は、
　前記複数のユーザーの性格を診断し、前記複数のユーザーの性格タイプを決定する性格診断部と、
　前記複数のユーザーの前記性格タイプを含む複数のデータを記憶する記憶部と、
　前記ユーザーの第１のデータを取得するデータ取得部と、
　前記複数のデータの中から、前記第１のデータと所定の関係度を有する第２のデータを抽出し、前記ユーザーと、前記第２のデータを有する前記他のユーザーとをマッチングするマッチング部と、
　前記ユーザーと、前記他のユーザーとの間で前記コミュニケーションを提供するコミュニケーション部と、
　を有し、
　前記マッチング部は、前記ユーザーと前記他のユーザーとのマッチング履歴情報を前記ユーザーの前記第１のデータと前記他のユーザーの前記第２のデータに付与し、
　前記マッチング部は、前記マッチング履歴情報に基づいて、前記ユーザーと前記他のユーザーとの再度のマッチング確率を下げ
、
　
前記コミュニケーション部は、前記コミュニケ−ションの文字情報と、画像情報と、音声情報と、動画情報のうちのいずれかを含むメッセージ情報の情報量が所定容量を超えたとき、前記コミュニケーションを終了させるよう、前記メッセージ情報を管理するとともに、前記文字情報、前記画像情報、前記音声情報および前記動画情報のうちのいずれかの前記所定容量までの残りのメッセージ情報量を情報端末に提供し、
　
前記メッセージ情報の前記情報量は、前記コミュニケーション中に前記ユーザーによって１回毎に発信された前記メッセージ情報の総量であ
　　【請求項１１】
　複数のユーザーのうちのユーザーと他のユーザーとの間でコミュニケーションをするためのコミュニケーションプログラムであって、
　前記複数のユーザーの性格を診断し、前記複数のユーザーの性格タイプを決定するステップと、
　前記ユーザーの第１のデータを取得するステップと、
　予め記憶されている前記複数のユーザーの前記性格タイプを含む複数のデータの中から、前記第１のデータと所定の関係を有する第２のデータを抽出し、前記ユーザーと、前記第２のデータを有する前記他のユーザーとをマッチングするステップと、
　前記ユーザーと、前記他のユーザーとの前記コミュニケーションを提供するステップと、をコンピューターに実行させ、
　前記マッチングするステップは、前記ユーザーと前記他のユーザーとのマッチング履歴情報を前記ユーザーの前記第１のデータと前記他のユーザーの前記第２のデータに付与するステップと、
　前記マッチング履歴情報に基づいて、前記ユーザーと前記他のユーザーとの再度のマッチング確率を下げるステップと、を含
み、
　
前記コミュニケーションを提供するステップは、前記コミュニケ−ションの文字情報と、画像情報と、音声情報と、動画情報のうちのいずれかを含むメッセージ情報の情報量が所定容量を超えたとき、前記コミュニケーションを終了させるよう、前記メッセージ情報を管理するとともに、前記文字情報、前記画像情報、前記音声情報および前記動画情報のうちのいずれかの前記所定容量までの残りのメッセージ情報量を情報端末に提供するステップを含み、
　
前記メッセージ情報の前記情報量は、前記コミュニケーション中に前記ユーザーによって１回毎に発信された前記メッセージ情報の総量である
第５　引用文献、引用発明等
１．引用文献８について
　令和３年３月９日付けの拒絶の理由に引用された引用文献８（特表平４−５０７１５８号公報）には、図面とともに次の事項が記載されている。
（ａ）第２ページ左上欄第１５行〜同ページ右上欄第１８行 
「１４．　
複数の利用者が参加する紹介システムであって、
　
各々の利用者に対して個人装置を具備し、前記個人装置はリモート・ページングによってアクティベートされるものであり、
　
さらに、複数の利用者の前記個人装置から各々の個人データを受信するローカル制御装置を具備し、前記ローカル制御装置は前記各々の利用者をその性格および興味のような個人的特徴により定義する個人データを受信し記憶する手段と、前記各々の利用者の個人データを他の利用者が入力した個人データと比較する演算手段とを有し、前記受信し記憶する手段は利用者からの電話呼び出しを受け付けて前記個人データを供給する手段を有するものであり、
　
さらに、前記個人装置をページングするために当該ローカル制御装置に具備されるページング手段を具備し、前記ページング手段は前記利用者のペアの個人装置をアクティベートするものであり、前記ペアは前記演算手段による比較のために予め決定された基準に従ってマッチング
紹介システム。
１５．　請求項１５記載による紹介システムであって、
　
前記ローカル制御装置は電話スイッチボード手段を具備し、前記ローカル制御装置は前記マッチングしたペアの各々の利用者からの電話呼び出しを受けて、両者を直接音声通信させるために相互接続することができるものである
（合議体註：「請求項
１５
１６．　請求項１４記載による紹介システムであって、
　マッチングした利用者のペアの個人装置は無線、超音波あるいは赤外線の送信によってアクティベートされるものであり、前記個人装置は前記送信信号を受信するための受信手段を具備することを特徴とする紹介システム。
１７．　請求項１４記載による紹介システムであって、
　
前記ローカル制御装置は当該ローカル制御装置の利用者の個人データを記憶する記憶手段をを具備する
（合議体註：「記憶手段
を
１８．　請求項１４記載による紹介システムであって、
　
前記ローカル制御装置の演算手段はマッチングしたペアのＩＤを記憶する記録保持手段と、以前にマッチングしたペアの再マッチングを回避するチェック手段とを具備する
１９．　請求項１４記載による紹介システムであって、
　前記ローカル制御装置はマッチングのための利用者要求の処理においてリアルタイムに動作するようプログラムされていることを特徴とする紹介システム。」
（ｂ）第３ページ右上欄第４〜５行
「この発明は、友達を求めている人に新しい友達を紹介するシステムに係り、特に特徴や興味の合う人を直ちに探索し、引き合わせる紹介システムに関する。」
（ｃ）第３ページ右下欄第２０行〜第４ページ左上欄１０行
「この発明の紹介システムによれば、大多数の第１のパーティは、存在するかあるいは存在しないかもしれない各々の予期される第２のパーティを探し出すことができる。各々の第１のパーティと第２のパーティを探索し、確定し、そして紹介することは、この紹介システムがこれらパーティ間に介入することによって達成される。この紹介システムの利用者になることを希望する人は、自分自身に関するデータと自分が出会いたいと思う人の特徴に関するデータを提供する。この提供されたデータには予期されるマッチングした人の望むべき特徴、地理的な場所および会合にあたっての時間的制約が含まれている。すなわち、利用者になろうとする人は、自分が何処の誰であり、紹介してほしい相手にマッチングさせるべき個人的な特徴と興味が何であるかというデータをこのシステムに提供するということである。紹介が予期される他のパーティの特徴と興味を含み、かつ探し求めているパーティの地理的時間的制約を含むこれらのデータは、第１のパーティの要求とこのシステムの他の利用者のデータとのマッチングを試みる中央のコンピュータ・システムに供給される。
　このシステムの利用者である各々のパーティは、この紹介システムと連絡をとる個人装置を持っており、マッチングが見つかった場合に持ち主とその個人データを確定する会員資格の暗号あるいはＩＤ番号（個々人の識別番号）を有している。また、この個人装置はこのシステムのために特別に設計されるか、あるいはこのシステムをラジオトランシーバやコードレスセルラ電話の様な既存の装置を使用できるよう対応させる。」
（ｄ）第４ページ左下欄第２６行〜第５ページ右上欄第１行
「この発明による紹介システム１０は多くの機能を果たすマスタ制御装置１２を有しており、このシステムの個々の加入者に割り当てられている分局の大多数。これら分局は個人装置１４として指定される。ローカル制御装置１６の大多数は与えられた領域１８に定義された機能を有している。また、このローカル制御装置１６はマスタ制御装置１２と個人装置１４の間に介在する。そして、公衆あるいは専用の電話交換機２０を用いることにより、各々のローカル制御装置１６はマスタ制御装置１２と通信することができる。また、利用者はこの電話交換機２０を用いてマスタ制御装置１２あるいはローカル制御装置１６と通信できる。
　この紹介システムの基本的な特徴は、大多数の加入者に対して個々に割り当てられるべき個人装置が用意されていることである。各々の個人装置１４は、マスタ制御装置１２あるいはローカル制御装置１６が他の全ての個人装置１４を除いてローカル制御装置１６の地理的なサービス領域１８に含まれるどの個人装置１４とも接続されるように個々にアドレスを持ったページング・システムを有している。
　この紹介システム１０の加入者になることを希望する人は、自分の興味や自分に関するデータを提供する。データはなるべく指定された住所に提出された申込書を通じて提供されるか、あるいはローカル制御装置１６あるいはマスタ制御装置１２に電話で提供される。このデータは、例えば２つのカテゴリに分けることができる。第１のカテゴリに含まれるものは、例えば民族的背景、宗教的所属、学歴、収入、年齢、身長あるいは喫煙や飲酒の習慣等のような必須の判断基準である。さらに、利用者の興味に含まれるデータはライフスタイル、趣味等や上手くマッチングする人の希望する性格である。
　データが供給され入力された後、新しい利用者は、アドレス・コードによって個々別々であることが確認され、自分の個人データのコピーを記憶している指定された個人装置を与えられる。利用者には他に教育用小冊子、個人データを記億している暗号化された会員資格カード、更新予約申込用紙等が与えられる。この時点から、会員となった利用者はこのシステムがカバーする如何なる場所においてもこのシステムを利用することができる。
　利用者は、紹介システム１０のカバーするサービス領域１８の範囲内であれば、いつでもタッチトーン電話からローカル制御装置１６のローカル電話番号を呼び出すことにより、ある場所で利用可能状態にあることを紹介システム１０に知らせることができる。そして、利用者は音声メニューに応答することによって情報を入力することができる。この情報は、例えば紹介システム１０に指定された自分の個人コード、自分の現在位置、サービス領域１８における滞在予定時間および第２のパーティに対する紹介が望まれるサービス領域である。
　ローカル制御装置１６が利用可能状態にあるところでは、例えばレストラン等で、利用者はローカル制御装置１６に自分の会員資格カードを挿入することにより確定しているデータを直接入力することができる。そして、利用者はローカル制御装置１６のキーボードを用いて、会合のための特定の場所に関する要求される様々な情報やその場所における滞在予定期間等を入力する。
　一般に、男性は女性との出会いを女性は男性との出会いを求めていると予想されるが、この発明はこのようなものに制限されるものではない。利用者は自分が居るところと地理的に近い場所に、例えばテニス、釣り等の共通の趣味を有する同姓の人を探し求めている場合もある。
　当該の要求が発生した特定のサービス領域１８において、ローカル制御装置１６は利用者によって入力された個人データと、この利用者によって特定される博物館や大学等のサービス領域あるいは特定の場所に位置し、かつこの利用者と同時に利用可能状態となった他の利用者によって入力された個人データとを比較する。個人装置あるいはカードが利用者の同一性を確認するのみで個人データを供給しない他の実施例においては、利用者がある新しいサービス領域、すなわちこれまでに訪れたことのない地域あるいは特定の場所に居る場合、ローカル制御装置１６は電話交換機２０を介してマスタ制御装置１２からこの利用者の個人データを受け取る。そして、ローカル制御装置１６は頻繁に用いられる利用者の個人データを記憶する。
　適合したカップルが見つかると、紹介システム１０は各々の個人装置をアクティベートすることによって自動的にその２人の利用者に報告しページングする。そして、会合を始めるために幾つかの方法が用いられる。ページングされたパーティは公衆あるいは私有の如何なる電話からでもローカル制御装置１６を呼び出すことができる。個人のＩＤコード（ＩＤ番号をコード化したもの）が入力された後、両方のパーティが呼び出しを行っている場合、紹介システム１０は自動的に２人のパーティを相互接続する。そして、予め決められた期間電話による会話が許可される。そして、これらパーティは会話がその方向に進めば、お互いに会合のための取り決めを行う。」
（ｅ）第５ページ左下欄第２３〜２８行
「この期間、ローカル制御装置１６は、同じく該期間にその場所で利用できることを知らされた適合する可能性のある相手のためにシステム・メモリを走査する。このような適合する可能性のある相手が見つかった場合、一方が居なくてもローカル制御装置１６は自動的に２人の間の接触を行わせる。上に述べた方法によって
紹介がなされた後、ローカル制御装置１６はその後の繰り返しを防ぐためにこの事実を記憶する
利用者のペアは１回のみマッチングされる
（ｆ）上記記載からみて、引用文献８には、次の発明（以下、「引用発明」という。）が開示されているといえる。
〈引用発明〉
「複数の利用者が参加する紹介システムであって、
　各々の利用者に対して個人装置を具備し、前記個人装置はリモート・ページングによってアクティベートされるものであり、
　さらに、複数の利用者の前記個人装置から各々の個人データを受信するローカル制御装置を具備し、前記ローカル制御装置は前記各々の利用者をその性格および興味のような個人的特徴により定義する個人データを受信し記憶する手段と、前記各々の利用者の個人データを他の利用者が入力した個人データと比較する演算手段とを有し、前記受信し記憶する手段は利用者からの電話呼び出しを受け付けて前記個人データを供給する手段を有するものであり、
　さらに、前記個人装置をページングするために当該ローカル制御装置に具備されるページング手段を具備し、前記ページング手段は前記利用者のペアの個人装置をアクティベートするものであり、前記ペアは前記演算手段による比較のために予め決定された基準に従ってマッチングされるものである、
紹介システムのローカル制御装置において、
　前記ローカル制御装置は電話スイッチボード手段を具備し、前記ローカル制御装置は前記マッチングしたペアの各々の利用者からの電話呼び出しを受けて、両者を直接音声通信させるために相互接続することができるものであり、
　前記ローカル制御装置は当該ローカル制御装置の利用者の個人データを記憶する記憶手段を具備し、
　前記ローカル制御装置の演算手段はマッチングしたペアのＩＤを記憶する記録保持手段と、以前にマッチングしたペアの再マッチングを回避するチェック手段とを具備する、
紹介システムのローカル制御装置。」
２．引用文献１〜７、９について
ａ．令和３年３月９日付けの拒絶の理由に引用された引用文献１（特開２００１−３２５２０１号公報）には、図面と共に以下の記載がある。 
「【００３２】まず、移動通信端末機１０使用者が本発明のチャットシステムを使用してチャットを要求する使用者であると仮定する。
【００３３】移動通信端末機１０使用者が端末機１０の表示窓に表示されるメニューのうちのチャットサービスメニューを選択してチャットサーバー７０への接続を試みると、移動通信端末機１０は基地局３１０と無線通信して該当信号を通信社サーバー３２０に伝達し、通信社サーバー３２０は、受信する信号を通じてチャットサービス使用に関する信号であることを確認した後、通信社ゲートウェイ５０に接続されたインターネット６０を通じてチャットサーバー７０のウェブサーバー７１０に該当信号を伝達して、移動通信端末機１０とウェブサーバー７１０との通信経路を形成し、移動通信端末機１０とウェブサーバー７１０とを相互接続させる（Ｓ１０）。以下に説明される移動通信端末機１０とウェブサーバー７１０との接続を通じたデータ伝送は前述のように遂行されるので、詳細な説明は省略する。
【００３４】移動通信端末機１０の使用者（以下、チャット要求者と記す）から接続要求を受けたチャットサーバー７０のウェブサーバー７１０はチャットに関する説明などを含むホームページを表示する（Ｓ２０）。この時、ホームページには会員ＩＤ及びパスワードを入力する窓があり、チャット要求者が会員でない場合の会員加入のための窓がある。
【００３５】チャット要求者がチャットサーバー７０の会員でない場合（Ｓ３０）、チャット要求者は会員加入窓を選択することによって会員加入申請をする（Ｓ４０）。会員加入申請がある場合、ウェブサーバー７１０は特定の会員加入手続を通じて会員ＩＤを付与する（Ｓ５０）。この時、特定の会員加入手続は次の通りである。ウェブサーバー７１０が会員加入者の身上情報及びヘソ情報の入力を要求し、会員加入要求者は自身の身上情報及びヘソ情報を入力し、ウェブサーバー７１０は入力された身上情報を会員管理ＤＢ７３０に保存し、ヘソ情報はヘソ情報ＤＢ７５０に保存する。
【００３６】一方、チャット要求者が会員である場合（Ｓ３０）、会員ＩＤ及びパスワードを入力する（Ｓ６０）。
【００３７】ウェブサーバー７１０は入力された会員ＩＤ及びパスワードを使用して会員認証を遂行する（Ｓ７０）。会員認証段階（Ｓ７０）では検索エンジン７４０を通じて入力された会員ＩＤが会員管理ＤＢ７３０内にあるか否か判断され、会員ＩＤがある場合には会員ＩＤに対するパスワードが前記入力されたパスワードと一致しているかが判断される。万一、会員ＩＤ及び／またはパスワードが一致しない場合にはエラー画面がチャット要求者に表示され、会員ＩＤ及びパスワードが一致する場合にはその次の段階が遂行される。
【００３８】会員認証（Ｓ７０）が完了すると、ウェブサーバー７１０はチャット要求者が希望する相手方の条件を入力する画面を表示し（Ｓ８０）、チャット要求者は前記表示される画面を通じて自身が希望する相手方の条件を入力する（Ｓ９０）。この時、チャット要求者が希望する相手方の種類を選択し得るようにすることも好ましく、相手方の種類は友人、恋人などに分類されることができる。
【００３９】その次に、ウェブサーバー７１０は、チャット要求者によって入力された相手方条件に一致する会員を検索するために、検索エンジン７４０を使用して会員管理ＤＢ７３０を検索する（Ｓ１００）。
【００４０】検索結果、前記入力された相手方条件に一致する会員がいない場合（Ｓ１１０）、ウェブサーバー７１０は、チャット要求者が希望する条件を満たす会員がいないので、チャットサービスを終了するという表示をする（Ｓ１２０）。この時、チャットサービスを終了する代わりに、チャット要求者が他の相手方条件を入力して検索を遂行し続けることができるようにしてもよい。
【００４１】一方、検索結果、前記入力された相手方条件に一致する会員がいる場合、１名であるかどうかを判断し（Ｓ１３０）、１名でない場合、即ち２名以上である場合には検索された相手方の名前、会員ＩＤなどをチャット要求者に表示して（Ｓ１４０）、チャット要求者が表示された２名以上の相手方のうちの１名を選択するようにする（Ｓ１５０）。
【００４２】検索された相手方が１名であったり（Ｓ１３０）、チャット要求者によって１名が選択された場合（Ｓ１５０）、ウェブサーバー７１０は該当相手方に関する身上情報を会員管理ＤＢ７３０から抽出してチャット要求者に表示する（Ｓ１６０）。
【００４３】その次に、ウェブサーバー７１０はヘソ情報エンジン７６０を使用してヘソ情報ＤＢ７５０に保存されたチャット要求者のヘソ情報と前記検索された相手方のヘソ情報とを検索した後、ヘソ合わせ情報（navel comparison information）、例えば恋愛指数などを生成してチャット要求者に表示する（Ｓ１７０）。
【００４４】会員別ヘソ情報には血液型情報、好きな図形情報、じゃんけん順序情報、好きな食べ物情報、相手方と一緒に聞きたい音楽ジャンルなどがある。
【００４５】ヘソ情報エンジン７６０はチャット要求者及び前記検索された相手方に関して検索された血液型情報、図形情報などをそれぞれ用いて相互間のヘソ合わせを遂行した後、結果情報を生成する。
【００４６】添付された図４ないし図８はヘソ情報別にヘソ合わせが遂行される例が示された図面であり、図９は図４ないし図８によってヘソ合わせを遂行した結果が示された図面である。
【００４７】図４には一般的な男・女血液型に対するヘソ合わせ点数が示されており、図５には図形テストに対するヘソ合わせ点数が示されており、図６には性質テストとしてじゃんけんに対するヘソ合わせ点数が示されており、図７には食べ物テストに対するヘソ合わせ点数が示されており、図８には音楽テストに対するヘソ合わせ点数が示されている。
【００４８】ヘソ情報エンジン７６０はチャット要求者のヘソ情報と前記検索された相手方のヘソ情報とを用いて図４ないし図８に示されたヘソ合わせ点数表で該当点数を計算した後、全て合算して総点数を算出する。
【００４９】チャット要求者及び前記検索された相手方のヘソ情報を用いてヘソ合わせを遂行した結果、算出された総点数に該当する結果を図９に示されたヘソ合わせ結果表を使用して獲得する。この時、ヘソ合わせ情報として前記算出された総点数を用いてもよいが、チャット要求者及び検索された相手方に効果的で示すことができる言葉、例えば“優秀”、“非常に優秀”、“努力してみれば可能性があります”などのような言葉を用いてもよい。
【００５０】前記のように、チャット要求者及び前記検索された相手方に関するヘソ情報を用いると、チャット要求者に対するより理想的な相手方を選択することができる。
【００５１】この時、相手方の身上情報を表示する段階（Ｓ１６０）とヘソ合わせ情報を表示する段階（Ｓ１７０）との間に、チャット要求者が相手方の身上情報が気に入らない場合にチャットサービスを終了したり他の相手方を検索することができるようにする段階があるのが好ましい。
【００５２】その次に、チャット要求者は、自分の移動通信端末機１０に表示される相手方の身上情報及びヘソ合わせ情報が気に入る場合にはチャット申請をする（Ｓ１８０）。もちろん、前記のように、表示される情報が気に入らない場合にはチャットサービスを終了したり他の相手方を検索することができる。
【００５３】ウェブサーバー７１０は、チャット要求者から検索された相手方とのチャット申請がある場合、呼び出しエンジン７７０を使用して検索された相手方（以下、チャット相手方と記す）を呼び出すようにする（Ｓ１９０）。この時、チャット要求者に関する身上情報及びチャット要求者とのヘソ合わせ情報がメッセージで添付される。
【００５４】一方、前記検索された相手方は移動通信端末機１０、１１、２０、２１使用者であったりまたはインターネット６０に直接接続された個人用コンピュータ使用者であるが、本実施形態ではチャット相手方が異なる移動通信サービス業体４０のサービスを受ける移動通信端末機２０使用者であると仮定して説明する。
【００５５】呼び出しエンジン７７０は、ウェブサーバー７１０に接続されたインターネット６０及び通信社ゲートウェイ５０を通じて、チャット要求者と無線通信する移動通信サービス業体ではない他の移動通信サービス業体４０の通信社サーバー４２０に接続して、通信社サーバー４２０に接続された基地局４１０を通じてチャット相手方の移動通信端末機２０と無線通信を遂行し、チャット要求者の身上情報及びヘソ合わせ情報をメッセージ形態で伝送する。従って、チャット相手方の移動通信端末機２０には前記メッセージが表示される（Ｓ１９０’）。
【００５６】前記チャット相手方がインターネット６０に直接接続した個人用コンピュータ使用者である場合、呼び出しエンジン７７０は電子メールなどの手段を通じてチャット相手方にメッセージを送る。
【００５７】その次に、ウェブサーバー７１０は連結エンジン７８０を使用してチャット相手方の移動通信端末機２０がチャット可能な状態であるかどうかを判断する（Ｓ２００）。この時、チャット可能な状態とはチャット相手方の移動通信端末機２０がオンライン（on-line）状態及び通話していない状態をいう。従って、連結エンジン７８０はチャット相手方の移動通信端末機２０と無線通信する通信社サーバー４２０を通じて該当移動通信端末機２０の状態を確認しチャット可能な状態であるかどうかを判断する。この時、チャット相手方がインターネット６０に直接接続した個人用コンピュータ使用者である場合、連結エンジン７８０は前記使用者が現在インターネット６０に接続した状態であるかどうかを判断することによってチャット可能な状態であるかどうかを判断するのが好ましい。
【００５８】チャット相手方がチャット可能な状態ではない場合、ウェブサーバー７１０はチャット要求者にチャット相手方がチャット可能な状態ではないというメッセージを表示した後、チャットサービスを終了したりまたは他のチャット相手方を検索することができるようにする（Ｓ２１０）。
【００５９】一方、チャット相手方がチャット可能な状態である場合、ウェブサーバー７１０はチャット要求者の移動通信端末機１０にチャット相手方への接続作業を遂行していることを表示して、チャット要求者がチャット待機状態を維持するようにする（Ｓ２２０、Ｓ２２０’）。
【００６０】その次に、連結エンジン７８０は、チャット呼び出しを受けたチャット相手方が自分の移動通信端末機２０を使用してチャットサーバー７０のウェブサーバー７１０に接続しているかどうかを判断する（Ｓ２３０）。この時、チャット相手方がインターネット６０に直接接続した個人用コンピュータ使用者である場合には、前記使用者が自分のウェブブラウザーなどを使用してインターネット６０を通じてウェブサーバー７１０に接続しているかどうかを判断しなければならない。
【００６１】チャット相手方が一定の時間ウェブサーバー７１０に接続をしない場合（Ｓ２４０）、連結エンジン７８０は接続待機時間が経過したことをチャット要求者に表示した後（Ｓ２５０）、チャットサービスを終了する（Ｓ２６０）。
【００６２】一方、チャット相手方は前記段階（Ｓ１９０’）で表示されたチャット要求メッセージを確認した後、チャット接続するか否かを決定する（Ｓ２７０）。
【００６３】チャット相手方がチャット連結を拒否する場合、ウェブサーバー７１０はチャット相手方のチャット連結拒否によってチャットが不可能であるというメッセージをチャット要求者に表示した後（Ｓ２００）、チャットサービスを終了させる（Ｓ１２０）。
【００６４】しかし、チャット相手方がチャット連結を許容してチャットサーバー７０のウェブサーバー７１０に接続する場合（Ｓ２８０）、ウェブサーバー７１０はチャット相手方の会員ＩＤ及びパスワードなどを使用して会員認証を遂行した後（Ｓ２９０）、チャット要求者の身上情報を表示する（Ｓ３００）。この時、身上情報以外にチャット要求者とチャット相手方とのヘソ合わせ情報が共に表示されたりまたはチャット相手方の要求によって表示されることができる。
【００６５】チャット相手方は前記表示される各種情報を確認した後、チャット接続するか否かを決定する（Ｓ３１０）。
【００６６】チャット相手方がチャット接続を拒否する場合、ウェブサーバー７１０はチャット要求者にチャットが不可能であるというメッセージを表示した後（Ｓ２００）、チャットサービスを終了させる（Ｓ１２０）。
【００６７】一方、チャット相手方がチャット接続を許可する場合、連結エンジン７８０がチャット要求者とチャット相手方とを互いに接続させてチャットが遂行されるようにする（Ｓ３２０）。
【００６８】これによって、チャット要求者は自分の移動通信端末機１０にチャット連結された移動通信端末機２０を通じてチャット相手方と１：１チャットを遂行する（Ｓ３３０、Ｓ３３０’）。この時、チャット相手方がインターネット６０に直接接続した個人用コンピュータ使用者である場合、チャット要求者はインターネット６０を通じてチャット連結された使用者と１：１チャットを遂行するようになる。
【００６９】その後、チャットはチャット要求者及び／またはチャット相手方が該当基地局３１０、４１０との接続を切ることによって終了できる。」
ｂ．令和３年３月９日付けの拒絶の理由に引用された引用文献２（特開２００５−９２８９７号公報）には、図面と共に以下の記載がある。 
「【００２０】
　サーバ１はその内部に、個人情報受付部１１、希望条件受付部１２、アンケート回答受付部１３、性格カテゴリ確認部１４、相手会員決定部１５、紹介情報出力部１６、会員テーブルＴ１、アンケートテーブルＴ２、性格カテゴリ算出テーブルＴ３、相性度テーブルＴ４、アドバイステーブルＴ５１，Ｔ５２，Ｔ５３、とを有してなる。
【００２１】
　個人情報受付部１１は、会員（の端末）から、会員の個人情報を受付けるための手段である。ここで個人情報の例としては、氏名、年齢、住所、家族構成、職業などがある。
【００２２】
　希望条件受付部１２は、会員（の端末）から、希望条件を受付けるための手段である。希望条件とは、会員が、紹介相手に望む条件であり、たとえば、住所や年収、あるいは家族構成などがある。
【００２３】
　アンケート回答受付部１３は、会員（の端末）から、アンケートの回答を受付けるための手段である。
　ここでアンケートとは、性格カテゴリを算出するために会員に対して実施するものである。なお、性格カテゴリについては、後述する。
【００２４】
　
性格カテゴリ確認部１４は、
回答者の性格カテゴリを算出するための手段
【００２５】
　相手会員決定部１５は、相手会員を決定するための手段である。
【００２６】
　紹介情報出力部１６は、会員（の端末）に対して、紹介相手、つまり特定会員に対しては相手会員の、相手会員に対しては特定会員の情報を提供するための手段である。
【００２７】
　
会員テーブルＴ１は、サーバ１が管理するすべての会員の情報が格納されたテーブルであり、少なくとも、会員ごとの、個人情報、希望条件、性格カテゴリが格納してある
　図２は、会員テーブルＴ１に格納されている情報の一部の例を示す図であり、男性会員Ｍ１，Ｍ２と女性会員Ｗ１，Ｗ２，Ｗ３，Ｗ４，Ｗ５の合計７人についての、性格カテゴリ、個人情報（住所）、希望条件が示してある。
【００２８】
　アンケートテーブルＴ２は、性格カテゴリの算出に用いるアンケートの質問と回答の選択肢が格納してあるテーブルである（つまり、アンケートは多枝選択式である）。
　図３は、アンケートテーブルＴ２に格納されている情報の例を示す図であり、質問Ｑ１，Ｑ２と、各質問に対する回答選択肢Ａ１１，Ａ１２、Ａ２１，Ａ２２が格納してあることを示している。ここで、質問と回答選択肢の例としては、Ｑ１が「あなたは流行に敏感ですか？」であり、Ａ１１が「はい」、Ａ１２が「いいえ」などである。
【００２９】
　性格カテゴリ確認テーブルＴ３は、性格カテゴリの確認に用いるテーブルであり、前述のアンケートに対する回答と、性格カテゴリとの関係が格納してある。
　図４は、性格カテゴリ確認テーブルＴ３に格納された情報の例を示す図であり、質問Ｑ１とＱ２に対する回答の組合せと、３つの性格カテゴリＸ，Ｙ，Ｚとの関係が格納してある。ここで、質問Ｑ１とＱ２の回答が共に「はい」の場合、すなわち、Ａ１１とＡ２１の場合は、性格カテゴリがＸと確認することができることを示している。
【００３０】
　なお
性格カテゴリとは、たとえば、心理学的、文化人類学的、社会学的、医学的などの性格分析の手法による人間の性格についての分類である
　本実施の形態では、性格カテゴリは、Ｘ，Ｙ，Ｚの３種類である。」
ｃ．令和３年３月９日付けの拒絶の理由に引用された引用文献３（特開２０１３−３９８８号公報）には、図面と共に以下の記載がある。
「【００６５】
　本実施形態では、交換情報送受信部１０６からマッチング相手決定要求を受信した時点でユーザのマッチング相手を決定するとして説明を行ったが、マッチング制御部１１１がマッチング情報格納部１０２に記録されている全てのユーザの行動の開始時刻（または終了時刻）を監視し、開始時刻（または終了時刻）が近づく、あるいはその時刻がくると自動的にマッチングを実行しても良いし、設定情報受信部１０９がユーザから設定情報を受信したタイミングでマッチングを実行しても良い。これらの場合は、管理サーバ装置１００が設定情報を受信した順番（先着順）からマッチングさせる、または評価点数が高いユーザからマッチングさせる、または利用回数が多いユーザからマッチングさせる、または
ランダムにマッチングさせる
マッチング相手をあらかじめ決められた人数
に絞り込めない場合は
ランダムに抽出したマッチング相手候補からマッチング相手を決めていく
ｄ．令和３年３月９日付けの拒絶の理由に引用された引用文献４（特開２０１４−２３２４０６号公報）には、図面と共に以下の記載がある。
「【００１４】
　
記憶部１２に記憶されたデータベース１２０は、図１（ｄ）に示すように、登録されたユーザに関連付けられた蓄積情報１２１を複数有している
この蓄積情報１２１は、例えば、図１（ｄ）に示すように、会員情報１２５と、マッチング情報１２６と、履歴情報１２７と、メッセージ情報１２８と、を備えて概略構成されている
【００１５】
　ここで、本実施の形態に係るマッチング装置１は、一例として、登録を希望するユーザ、及び登録が終了し、マッチング装置１の利用を希望するユーザが、会員情報蓄積装置９の提供するＳＮＳ（Social  Networking  Service）の会員である場合、これらのユーザがマッチング装置１に入力した情報と、会員情報蓄積装置９に登録されている当該ユーザの情報と、を比較することでユーザの確認を行うように構成されている。このＳＮＳとは、例えば、登録された会員相互の交流を図るネットワーク上のサービスである。具体的には、マッチング装置１は、一例として、ユーザの確認を行うため、ネットワーク２を介して電気的に接続された会員情報蓄積装置９に、入力されたユーザＩＤ及び暗証番号を送信する。会員情報蓄積装置９は、自身に登録されたユーザＩＤ及び暗証番号と、マッチング装置１から取得したユーザＩＤ及び暗証番号と、を比較する。会員情報蓄積装置９は、例えば、自身に登録されたユーザＩＤ  及び暗証番号と、マッチング装置１から取得したユーザＩＤ及び暗証番号と、が一致すると、ユーザがまだマッチング装置１に登録されていない場合は、蓄積するユーザの情報の一部をマッチング装置１に提供し、ユーザが既にマッチング装置１に登録されている場合は、確認が成立したことを示す信号をマッチング装置１に送信する。マッチング装置１は、会員情報蓄積装置９  から取得したユーザの情報の一部を会員情報１２５の一部としてデータベース１２０に格納するように構成されている。このユーザの情報の一部とは、一例として、ユーザの顔画像（顔写真）、生年月日等である。
【００１６】
　マッチング情報１２６は、例えば、図２（ａ）に示すように、上述の特徴項目１２６ｂの他にマッチングに必要な複数の項目１２６ｅを有する基本項目１２６ａを含み、さらに基本項目１２６ａからマッチングを要求したユーザに選択された選択項目１２６ｃを含んで概略構成されている。マッチング装置１は、例えば、登録を希望するユーザの端末装置の後述する表示部に、図２（ａ）に示すような複数の項目１２６ｅを表示させ、主に選択肢１２６ｆに記載されている候補から当てはまる記載を選択していくことで、マッチング情報１２６を生成するように構成されている。
【００１７】
　マッチング情報１２６の基本項目１２６ａは、一例として、「基本プロフィール」、「仕事」、「家族構成及び嗜好品」、「ライフスタイル」及び「結婚生活への希望」等のテーマ１２６ｄを有している。このテーマ１２６ｄは、上記の例に限定されず、自由に設定される。テーマ１２６ｄの「基本プロフィール」は、一例として、会員情報蓄積装置９から取得したユーザの情報を補うものであり、「氏名」、「国籍」及び「出身地」等の項目１２６ｅを有している。項目１２６ｅの「氏名」は、選択ではなく記入式である。項目１２６ｅの「国籍」は、「日本」又は「海外」を選べるように選択肢１２６ｆが構成されている。図２（ａ）に示す四角に付された記号は、その選択肢が選ばれたことを示している。項目１２６ｅの「出身地」は、都道府県を選択できるように選択肢１２６ｆが構成されている。テーマ１２６ｄの「仕事」は、一例として、「職業」及び「年収」等の項目１２６ｅを有している。テーマ１２６ｄの「家族構成及び嗜好品」は、一例として、「同居の有無」、「住まいの状況」及び「喫煙の有無」等の項目１２６ｅを有している。テーマ１２６ｄの「ライフスタイル」は、一例として、「ペット」及び「自家用車の保有」等の項目１２６ｅを有している。テーマ１２６ｄの「結婚生活への希望」は、一例として、「結婚観」、「結婚式・披露宴」及び「子どもについて」等の項目１２６ｅを有している。
【００１８】
　また、ユーザは、例えば、基本項目１２６ａの複数の項目１２６ｅから予め定められた数以上の項目を選択して選択項目１２６ｃとすることが可能である。図２（ａ）の選択項目１２６ｃに示す丸は、丸が付いた項目が選択されたことを示している。本実施の形態では、この選択項目１２６ｃが、一例として、３つ以上選ばれる。この選択項目１２６ｃとは、例えば、ユーザが相手に特に満たして欲しい条件を示す項目である。例えば、ユーザが、相手が喫煙者でない方が良いと希望する場合、「喫煙の有無」の項目１２６ｅの相手に対する希望１２６ｇの「吸わない」を選択すると共に、この項目を選択項目１２６ｃとすれば良い。マッチング装置１  は、ユーザがマッチングを要求した場合、一例として、「喫煙の有無」の項目１２６ｅにおいて選択肢１２６ｆが「全く吸わない」であるユーザを抽出するので、喫煙者は候補として提示されない。
【００１９】
　またマッチング情報１２６の特徴項目１２６ｂは、例えば、相手に受け入れて欲しい身体的精神的特徴を示す複数の項目１２６ｅから概略構成されている。特徴項目１２６ｂは、一例として、ユーザがコンプレックスとして感じている「頭髪」、「体型１」、「体型２」、「身長１」及び「身長２」等の項目１２６ｅを有している。「頭髪」の項目１２６ｅは、一例として、「薄毛などが気になっている」という選択肢１２６ｆと、それを許容するか拒絶するかの意思表示となる「気にしない」という相手に対する希望１２６ｇを有している。マッチング装置１は、例えば、マッチング情報１２６を登録するユーザが、薄毛が気になっている場合に「薄毛などが気になっている」を選択していると、マッチングが行われる際に、少なくともこの項目１２６ｅの相手に対する希望１２６ｇにおいて「気にしない」を選択しているユーザを検索するように構成されている。また「体型１」の項目１２６ｅは、一例として、「痩せているのが気になっている」という選択肢１２６ｆと、それを許容するか拒絶するかの意思表示となる「気にしない」という相手に対する希望１２６ｇを有している。また「体型２」の項目１２６ｅは、一例として、「太っているのが気になっている」という選択肢１２６ｆと、それを許容するか拒絶するかの意思表示となる「気にしない」という相手に対する希望１２６ｇを有している。また「身長１」の項目１２６ｅは、一例として、「背が低い（目安１６０ｃｍ未満）のが気になっている」という選択肢１２６ｆと、それを許容するか拒絶するかの意思表示となる「気にしない」という相手に対する希望１２６ｇを有している。さらに「身長２」の項目１２６ｅは、一例として、「背が高い（目安１７５ｃｍ以上）のが気になっている」という選択肢１２６ｆと、それを許容するか拒絶するかの意思表示となる「気にしない」という相手に対する希望１２６ｇを有している。
【００２０】
　上記の特徴項目１２６ｂは、例えば、ユーザが相手に受け入れて欲しい個性として設定可能なものであれば、精神的なものであっても良い。相手に受け入れて欲しい精神的特徴としては、一例として、人見知りであるとか、内気であるとか、精神的な病とかなどでも良い。マッチング装置１は、相手に対して不利であると考えられている、言い換えるならネガティブな情報である、これらの個性を許容する、つまり受け入れてくれる相手を抽出するので、実際に会った場合に、想像と異なることから抱く違和感を抑制することが可能となる。選択項目１２６ｃは、基本項目１２６ａの項目１２６ｅから、登録するユーザが選択するものである。後述する双方向マッチングでは、特徴項目１２６ｂと選択項目１２６ｃとに基づいて適合する相手の抽出が行われる。
【００２１】
　
蓄積情報１２１の履歴情報１２７は、例えば、過去に行われたマッチングの履歴の情報である
ｅ．令和３年３月９日付けの拒絶の理由に引用された引用文献５（特開２０１３−１４９２６２号公報）には、図面と共に以下の記載がある。
「【０００６】
　上記課題を解決するための本発明の主たる発明は、グループに所属するユーザ間においてメッセージの送受信を行うシステムであって、前記
メッセージの送受信可能な時間であるオープン時間が経過するまでの間のみ、
クローズ時点が遅くなるように前記クローズ情報を更新する
【０００７】
　本発明のメッセージ送受信システムによれば、
メッセージのやり取りができるオープン時間を制限するとともに、
オープン時間を延長するようにすることができる
「【００６２】
　延長処理部２１６は、当該チャンネルのチャンネルＩ Ｄ  が設定された延長要求を受信した場合（Ｓ６１４：ＹＥＳ）、延長要求に設定されている出資額を１００で割り６００を乗じて延長時間を算出し、延長要求に設定されているチャンネルＩＤに対応するチャンネル管理部２３５のクローズ日時に上記延長時間を加算するとともに（Ｓ６１５）、出資総額に出資額を加算する（Ｓ６１６）。延長処理部２１６は、延長要求に設定されているユーザＩＤに対応する残高管理部２３２の残高から出資額を減算し（Ｓ６１７）、延長要求に設定されているチャンネルＩＤ、ユーザＩＤ及び出資額と現在の日時とを対応付けて出資履歴管理部２３６に登録する（Ｓ６１８）。なお、上述したように、チャンネルがクローズしている場合には、延長処理部２１６は、現在の日時に上記延長時間を加算した日時をチャンネル管理部２３５のクローズ日時に設定する。
【００６３】
　画面情報送信部２１５は、当該チャンネルのチャンネルＩＤに対応するクローズ日時をチャンネル管理部２３５から読み出し、現在の日時からクローズ日時までの秒数を残り時間として算出する（Ｓ６１９）。残り時間が所定の閾値（図１６の例では、５分とするが、任意の長さを設定することができる。）  未満である場合には（Ｓ６２０：ＹＥＳ）、チャンネルに参加している全てのユーザのユーザ端末１０に対して、延長を促すメッセージを表示するための画面情報を送信する（Ｓ６２１）。例えば、図１の例では、「あと３分でクローズです！  出資して延長しましょう」というメッセージが表示されており、このようなメッセージを表示するための画面情報がここで送信されることになる。
【００６４】
　残り時間が０またはそれ未満となった場合（Ｓ６２２：ＹＥＳ）、処理が終了する。　
　残り時間が０より大きい場合（Ｓ６２２：ＮＯ）、動画再生コマンド送信部２１３は、当該チャンネルのチャンネルＩＤに対応する開始日時を再生管理部２３４から取得し、取得した開始日時から現在の日時までの秒数を動画の長さから減算して動画残り時間を算出する（Ｓ６２３）。動画残り時間が３秒又はそれ未満になった場合には（Ｓ６２４：ＹＥＳ）、ステップＳ６０１に進み、次のリクエストに係る動画を再生するようにする。動画残り時間が０より大きい場合には（Ｓ６２４：ＮＯ）、ステップＳ６０５からの処理を繰り返す。
【００６５】
　以上のようにして、本実施形態のチャットシステムによれば、チャットを行うことができるオープン時間を制限するとともに、ユーザが仮想通貨による対価を支払うことによりオープン時間を延長することができる。仮想通貨とはいえ、チャンネルにおいて活発なコミュニケーションが行われていなければ、ユーザは支払いをする動機付けはなされないと考えられるので、活発なコミュニケーションが行われているチャンネルはオープン時間が延長され、コミュニケーションが活発でないチャンネルについてはクローズの状態（チャットができない状態）となるように仕向けることが可能となる。これにより、チャットサービス全体として、コミュニケーションの活発化を図ることができる。」
ｆ．令和３年３月９日付けの拒絶の理由に引用された引用文献６（特開２０１２−２０８７７９号公報）には、図面と共に以下の記載がある。
「【００２０】
　表示部１１２は、例えば液晶ディスプレイなどの表示画面を有し、アプリケーション実行部１１７の制御に従って、動画像や静止画像やテキストなど、各種画像を表示する。特に、表示部１１２は、自らの携帯端末装置１１０（当該表示部１１２を含んで構成される携帯端末装置１１０。以下同様に、ある部分を具備する携帯端末装置１１０を、当該部分との関係において「自らの携帯端末装置１１０」と称する。）  の
ユーザと、他の携帯端末装置１１０のユーザとの関連性を示す情報（例えば、両ユーザに共通する好みを示すキーワード、あるいは、両ユーザの行動に関連性があるということを示す情報）を表示する
【００２１】
　図２は、表示部１１２の表示画面の例を示す説明図である。この画面は、自らの携帯端末装置１１０のユーザと、他の携帯端末装置１１０のユーザとの関連性を示す情報の一例である。
　この画面は、自らの携帯端末装置１１０が、近傍に位置する（近距離通信可能な）他の携帯端末装置１１０を自動的に検出した際に表示する画面であり、当該他の携帯端末装置１１０と近距離通信可能であることを示している。ここで、携帯端末装置１１０は、後述するように、近距離通信を自動的に行うことで、近傍に位置する他の携帯端末装置１１０を検出する。
【００２２】
　図２に示される「関連性ポイント」は、自らの携帯端末装置１１０のユーザの行動の特徴と、他の携帯端末装置１１０のユーザの行動との関連性（共通性や偶然性）を示す指標値である。すなわち、この関連性ポイントは、両ユーザの行動に関連性があるということを示す情報の一例である。
　また、この画面は、関連性ポイントが所定の値以上の場合のみ表示される。すなわち、この画面自体が、両ユーザの行動に関連性があるということを示す情報の一例である。
【００２３】
　また、同図に示される「偶然の地域」は、両ユーザが訪れたことのある地域から、普段生活している地域を除いた地域である。この偶然の地域は、旅行等で訪れた地域と考えられ、両ユーザが好む地域と考えられる。すなわち、この偶然の地域は、両ユーザに共通する好みを示すキーワードの一例である。
　また、同図に示される「キーワード」は、両ユーザの行動（例えば旅行やウェブページの閲覧など）に共通する特徴を示すキーワードである。このキーワードは、ユーザの行動の特徴を示していることから、ユーザの好みに合致すると考えられる。すなわち、このキーワードは、両ユーザに共通する好みを示すキーワードの一例である。
【００２４】
　このように、携帯端末装置１１０が、他の携帯端末装置１１０と通信可能であることを示すので、ユーザは、直ちに当該他の携帯端末装置１１０のユーザとの通信を試みることが出来る。また、携帯端末装置１１０が、自らのユーザの行動の特徴と関連性のある行動の特徴を有するユーザと通信可能であることを表示するので、ユーザは、好みが共通し、気が合う相手と通信できることを期待できる。また、携帯端末装置１１０は、両ユーザに共通する好みを示すキーワードを表示することにより、ユーザに話題を提供することができる。
　このようにして、コミュニケーション支援システム１（携帯端末装置１１０）は、ユーザのコミュニケーションを支援する。」
ｇ．令和３年３月９日付けの拒絶の理由に引用された引用文献７（特開２０１２−１６８８１２号公報）には、図面と共に以下の記載がある。
「【００２６】
　レーティング部１６は、通話終了後、発呼・着呼側双方がお互いの評価を行う機能である。これにより
コミュニティにおけるメンバの評価を設定することができ
「【００４０】
　図９は、メンバのレーティング処理のシーケンス図である。通話終了後、メンバＡは、レーティング部１６を用いてメンバＢの評価を行う（ステップＳ６０１）。レーティング部１６は、評価情報をメンバ情報管理部１３に通知し（ステップＳ６０２）、メンバ情報管理部１３は、メンバＢの評価情報を更新する（ステップＳ６０３）。同様に、メンバＢは、レーティング部１６を用いてメンバＡの評価を行う（ステップＳ６０４）。レーティング部１６は、評価情報をメンバ情報管理部１３に通知し（ステップＳ６０５）、メンバ情報管理部１３は、メンバＡの評価情報を更新する（ステップＳ６０６）。これによりコミュニティにおけるメンバの評価を設定することができる。なお、コミュニティにおける評価は各メンバに１つだけ設定する場合と、発呼側・着呼側等、役割毎に設定する場合が考えられる。」
ｈ．令和３年３月９日付けの拒絶の理由に引用された引用文献９（特開２００２−２２２２０４号公報）には、図面と共に以下の記載がある。
「【請求項３】  上記請求項１または請求項２のいずれかに記載のコミュニケーションプログラムにおいて、上記マッチング条件情報記憶手段は、マッチングの確率を増減させるための確率増減情報を追加する記憶領域を有しており、上記マッチング可否判定手段は同記憶領域に記憶された確率増減情報に基づいて
マッチングの確率を変化させる
第６　対比・判断
１．本願発明１について
（１）対比
　本願発明１と引用発明とを対比すると、次のことがいえる。
（ａ）引用発明の「ローカル制御装置」は、「マッチングしたペアの各々の利用者からの電話呼び出しを受けて、両者を直接音声通信させるために相互接続することができるもの」であるから、本願発明１の「複数のユーザーのうちユーザーと他のユーザーとの間でコミュニケーションをするためのコミュニケーション装置」に相当する。 
（ｂ）引用発明の「ローカル制御装置」は、「当該ローカル制御装置の利用者の個人データを記憶する記憶手段を具備し」、「各々の利用者をその性格および興味のような個人的特徴により定義する個人データを受信し記憶する」ことから、引用発明の「記憶手段」は本願発明１の「記憶部」に対応し、両者は「前記複数のユーザーの性格情報を含む複数のデータを記憶する記憶部」である点で共通する。
（ｃ）引用発明の「ローカル制御装置」は、「前記各々の利用者の個人データを他の利用者が入力した個人データと比較する演算手段とを有し」、「ペアは前記演算手段による比較のために予め決定された基準に従ってマッチングされるもの」であるから、引用発明の「演算手段」は本願発明１の「前記ユーザーの第１のデータを取得するデータ取得部」と「前記複数のデータの中から、前記第１のデータと所定の関係を有する第２のデータを抽出し、前記ユーザーと、前記第２のデータを有する前記他のユーザーとをマッチングするマッチング部」に相当する。
（ｄ）引用発明の「ローカル制御装置」は、「前記個人装置をページングするために当該ローカル制御装置に具備されるページング手段を具備し」、「前記ページング手段は前記利用者のペアの個人装置をアクティベートするものであり」、「前記ペアは前記演算手段による比較のために予め決定された基準に従ってマッチングされるもの」であり、「電話スイッチボード手段を具備し、マッチングしたペアの各々の利用者からの電話呼び出しを受けて、両者を直接音声通信させるために相互接続することができるもの」であるから、引用発明の「ページング手段」と「電話スイッチボード手段」は本願発明１の「前記ユーザーと、前記他のユーザーとの間で前記コミュニケーションを提供するコミュニケーション部」に相当する。
（ｅ）引用発明の「演算手段」は、「マッチングしたペアのＩＤを記憶する記録保持手段と、以前にマッチングしたペアの再マッチングを回避するチェック手段とを具備する」から、引用発明の「演算手段」と本願発明１の「マッチング部」は、「前記ユーザーと前記他のユーザーとのマッチング履歴情報を取得し」、「前記マッチング履歴情報に基づいて、前記ユーザーと前記他のユーザーとの再度のマッチングを低下する」点で共通する。
　そうしてみると、本願発明１と引用発明には、以下の一致点と相違点が認められる。
〈一致点〉
「複数のユーザーのうちユーザーと他のユーザーとの間でコミュニケーションをするためのコミュニケーション装置であって、
　前記複数のユーザーの性格情報を含む複数のデータを記憶する記憶部と、
　前記ユーザーの第１のデータを取得するデータ取得部と、
　前記複数のデータの中から、前記第１のデータと所定の関係を有する第２のデータを抽出し、前記ユーザーと、前記第２のデータを有する前記他のユーザーとをマッチングするマッチング部と、
　前記ユーザーと、前記他のユーザーとの間で前記コミュニケーションを提供するコミュニケーション部と、
を有し、
　前記マッチング部は、前記ユーザーと前記他のユーザーとのマッチング履歴情報を取得し、
　前記マッチング部は、前記マッチング履歴情報に基づいて、前記ユーザーと前記他のユーザーとの再度のマッチングを低下するコミュニケーション装置。」
〈相違点１〉
　本願発明１では、「前記複数のユーザーの性格を診断し、前記複数のユーザーの性格タイプを決定する性格診断部」を有し、記憶部に前記複数のユーザーの「前記性格タイプ」を含む複数のデータを記憶するのに対し、引用発明では、「複数のユーザーの性格を診断して前記複数のユーザーの性格タイプを決定し、前記性格タイプの情報を記憶部のデータに含めること」について特定されていない点。
〈相違点２〉
　本願発明１の「マッチング部」では、「前記ユーザーと前記他のユーザーとのマッチング履歴情報を前記ユーザーの前記第１のデータと前記他のユーザーの前記第２のデータに付与し」ているのに対し、引用発明の「演算手段」では、「記憶保持手段」に「マッチングしたペアのＩＤを記憶する」点。
〈相違点３〉
　本願発明１の「マッチング部」では、「再度のマッチング確率を下げる」のに対し、引用発明の「演算手段」では、「再マッチングを回避する」点。
〈相違点４〉
　本願発明１では、「前記コミュニケーション部は、前記コミュニケ−ションの文字情報と、画像情報と、音声情報と、動画情報のうちのいずれかを含むメッセージ情報の情報量が所定容量を超えたとき、前記コミュニケーションを終了させるよう、前記メッセージ情報を管理するとともに、前記文字情報、前記画像情報、前記音声情報および前記動画情報のうちのいずれかの前記所定容量までの残りのメッセージ情報量を情報端末に提供し」、「前記メッセージ情報の前記情報量は、前記コミュニケーション中に前記ユーザーによって１回毎に発信された前記メッセージ情報の総量である」のに対し、引用発明では、メッセージ情報の情報量が所定容量を超えたとき、コミュニケーションを終了させるよう、前記メッセージ情報を管理すること、前記所定容量までの残りのメッセージ情報量を情報端末に提供することについて、特定されていない点。
（２）相違点についての判断
　事案に鑑みて、上記相違点４について先に検討すると、相違点４に係る本願発明１の「前記コミュニケーション部は、前記コミュニケ−ションの文字情報と、画像情報と、音声情報と、動画情報のうちのいずれかを含むメッセージ情報の情報量が所定容量を超えたとき、前記コミュニケーションを終了させるよう、前記メッセージ情報を管理するとともに、前記文字情報、前記画像情報、前記音声情報および前記動画情報のうちのいずれかの前記所定容量までの残りのメッセージ情報量を情報端末に提供し」、「前記メッセージ情報の前記情報量は、前記コミュニケーション中に前記ユーザーによって１回毎に発信された前記メッセージ情報の総量である」という構成は、上記引用文献１−７、９には記載されておらず、本願出願日前において周知技術であるともいえない。
　したがって、他の相違点について判断するまでもなく、本願発明１は、当業者であっても引用発明及び引用文献１−７、９に記載された技術的事項に基づいて容易に発明できたものであるとはいえない。
２．本願発明２−９について
　本願発明２−９は、本願発明１を減縮した発明であり、相違点４に係る本願発明１の構成を備えるものであるから、本願発明１と同じ理由により、当業者であっても、引用発明及び引用文献１−７、９に記載された技術的事項に基づいて容易に発明できたものとはいえない。
３．本願発明１０、１１について
　本願発明１０及び本願発明１１は、それぞれ本願発明１に対応するシステムの発明及びプログラムの発明であり、相違点４に係る本願発明１の構成に対応する構成を備えるものであるから、本願発明１と同様の理由により、当業者であっても、引用発明及び引用文献１−７、９に記載された技術的事項に基づいて容易に発明できたものとはいえない。
第７　原査定についての判断
　令和３年４月２０日付けの補正により、補正後の請求項１−９は、「前記コミュニケーション部は、前記コミュニケ−ションの文字情報と、画像情報と、音声情報と、動画情報のうちのいずれかを含むメッセージ情報の情報量が所定容量を超えたとき、前記コミュニケーションを終了させるよう、前記メッセージ情報を管理するとともに、前記文字情報、前記画像情報、前記音声情報および前記動画情報のうちのいずれかの前記所定容量までの残りのメッセージ情報量を情報端末に提供し」、「前記メッセージ情報の前記情報量は、前記コミュニケーション中に前記ユーザーによって１回毎に発信された前記メッセージ情報の総量である」という技術的事項を有し、また、請求項１０、１１も当該技術的事項に対応する技術的事項を有するものとなった。当該技術的事項は、原査定における引用文献Ａ−Ｇ（当審拒絶理由における引用文献１−７）には記載されておらず、本願出願日前における周知技術でもないので、本願発明１−１１は、当業者であっても、原査定における引用文献Ａ−Ｇに基づいて容易に発明できたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。